(57)【要約】【課題】ユーザによるタブの操作が行われていないにも関わらず缶蓋に開口が形成されることを抑制する。【解決手段】パネル４００に対しては、第１の面４０１側からパネル４００に対して金型が押し当てられて凹みが形成されるエンボス加工が施され、パネル４００には、凹み加工部としての凹溝７０が形成されている。ここで、この凹溝７０は、パネル４００のうちの第１スコア線４３０により囲まれている領域内に形成されている。また、この凹溝７０は、缶蓋３００の裏面側（パネル４００の第２の面４０２側）にパネル４００の一部が突出するように形成されている。【選択図】図３−１
2015101398.tif 000002
【特許請求の範囲】
【請求項１】
第１の面と、当該第１の面とは反対側に位置する第２の面とを有し、缶胴の開口に取り付けられるパネルと、
前記パネルの前記第１の面に取り付けられ、当該パネルの予め定められた箇所を押圧するタブと、
前記パネルの前記第１の面に形成され、且つ、前記予め定められた箇所を囲むように形成され、当該パネルの破断を促すスコア線と、
前記パネルのうちの前記スコア線により囲まれた領域に形成されるとともに、当該パネルを前記第１の面側から眺めた場合に、少なくとも一部が前記タブの背後に位置し、当該領域の曲げ剛性を高める凹み加工部と、
を備え、
前記凹み加工部は、前記パネルの前記第１の面側から当該パネルに型を押し当てることで形成され、当該凹み加工部の形成に伴い生じる突出部が前記第２の面側に位置していることを特徴とする缶蓋。
【請求項２】
前記パネルを前記第１の面側から眺めた場合に、前記凹み加工部の全てが前記タブの背後に位置していることを特徴とする請求項１に記載の缶蓋。
【請求項３】
前記スコア線により囲まれた前記領域内に形成され、一端が当該囲まれた当該領域内に位置し、他端が前記スコア線に接続された第２のスコア線を備え、
前記凹み加工部は、溝状に形成されるとともに、前記第２のスコア線の前記一端を囲むように形成されていることを特徴とする請求項１又は２に記載の缶蓋。
【請求項４】
前記タブが前記パネルに対して取り付けられている取り付け部は、前記スコア線により囲まれた前記領域内に位置し、
前記凹み加工部は、溝状に形成されるとともに、前記取り付け部を囲むように形成されていることを特徴とする請求項１乃至３の何れかに記載の缶蓋。
【請求項５】
前記スコア線により囲まれた前記領域内に形成され、一端が当該囲まれた当該領域内に位置し、他端が前記スコア線に接続された第２のスコア線を備え、
前記スコア線により囲まれた前記領域内には、前記第２のスコア線を挟んで互いに相対する第１の領域および第２の領域が設けられ、
前記凹み加工部は、溝状に形成されるとともに、前記第１の領域内に位置する一端部および前記第２の領域内に位置する他端部を有するとともに、当該一端部から当該他端部に向かって進行するように形成され、且つ、当該進行に際し、前記第２のスコア線と交わらずに、当該第２のスコア線の前記一端の脇を通過して当該他端部に向かうように形成されていることを特徴とする請求項１に記載の缶蓋。
【請求項６】
前記凹み加工部を第１の凹み加工部とした場合、当該第１の凹み加工部の外側に、第２の凹み加工部が設けられていることを特徴とする請求項１乃至５の何れかに記載の缶蓋。
【請求項７】
前記第２の凹み加工部は、前記タブの周りを囲むように形成され、さらに当該第２の凹み加工部の形成に伴い生じる突起部が、前記第１の面側に位置していることを特徴とする請求項６に記載の缶蓋。
【請求項８】
第１の面と、当該第１の面とは反対側に位置する第２の面とを有し、缶胴の開口に取り付けられるパネルと、
前記パネルの前記第１の面に取り付けられ、当該パネルの予め定められた箇所を押圧するタブと、
前記パネルの前記第１の面に形成され、且つ、前記予め定められた箇所を囲むように形成され、当該パネルの破断を促すスコア線と、
前記パネルのうちの前記スコア線により囲まれた領域に形成され、当該領域の曲げ剛性を高める凹み加工部と、
を備え、
前記凹み加工部は、前記パネルの前記第１の面側から当該パネルに型を押し当てることで形成され、当該凹み加工部の形成に伴い生じる突出部が前記第２の面側に位置していることを特徴とする缶蓋。
【請求項９】
飲料が収容された缶胴と、当該缶胴に取り付けられた缶蓋と、を備える飲料缶であって、
前記缶蓋が、請求項１乃至８の何れかに記載の缶蓋である飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
一般に、飲料缶に用いられる缶蓋では、ユーザによりタブが操作されることで、開口が形成され、これにより、飲料缶の内部の飲料を飲むことが可能になる。ところで、缶蓋には様々な外力が作用し、ユーザによるタブの操作が行われていないにも関わらず、この外力によって、缶蓋に開口が形成されてしまうおそれがある。
本発明の目的は、ユーザによるタブの操作が行われていないにも関わらず缶蓋に開口が形成されることを抑制することにある。
【課題を解決するための手段】
【０００５】
本発明が適用される缶蓋は、第１の面と、当該第１の面とは反対側に位置する第２の面とを有し、缶胴の開口に取り付けられるパネルと、前記パネルの前記第１の面に取り付けられ、当該パネルの予め定められた箇所を押圧するタブと、前記パネルの前記第１の面に形成され、且つ、前記予め定められた箇所を囲むように形成され、当該パネルの破断を促すスコア線と、前記パネルのうちの前記スコア線により囲まれた領域に形成されるとともに、当該パネルを前記第１の面側から眺めた場合に、少なくとも一部が前記タブの背後に位置し、当該領域の曲げ剛性を高める凹み加工部と、を備え、前記凹み加工部は、前記パネルの前記第１の面側から当該パネルに型を押し当てることで形成され、当該凹み加工部の形成に伴い生じる突出部が前記第２の面側に位置していることを特徴とする缶蓋である。
【０００６】
ここで、前記パネルを前記第１の面側から眺めた場合に、前記凹み加工部の全てが前記タブの背後に位置していることを特徴とすることができる。この場合、凹み加工部の内部に塵やほこりなどが溜まりにくくなる。
また、前記スコア線により囲まれた前記領域内に形成され、一端が当該囲まれた当該領域内に位置し、他端が前記スコア線に接続された第２のスコア線を備え、前記凹み加工部は、溝状に形成されるとともに、前記第２のスコア線の前記一端を囲むように形成されていることを特徴とすることができる。この場合、第２スコア線の他端側から一端に向かって進行するパネルの破断がこの一端を超えた部分において発生した場合に、この破断を停止させることができるようになる。
また、前記タブが前記パネルに対して取り付けられている取り付け部は、前記スコア線により囲まれた前記領域内に位置し、前記凹み加工部は、溝状に形成されるとともに、前記取り付け部を囲むように形成されていることを特徴とすることができる。
また、前記スコア線により囲まれた前記領域内に形成され、一端が当該囲まれた当該領域内に位置し、他端が前記スコア線に接続された第２のスコア線を備え、前記スコア線により囲まれた前記領域内には、前記第２のスコア線を挟んで互いに相対する第１の領域および第２の領域が設けられ、前記凹み加工部は、溝状に形成されるとともに、前記第１の領域内に位置する一端部および前記第２の領域内に位置する他端部を有するとともに、当該一端部から当該他端部に向かって進行するように形成され、且つ、当該進行に際し、前記第２のスコア線と交わらずに、当該第２のスコア線の前記一端の脇を通過して当該他端部に向かうように形成されていることを特徴とすることができる。この場合、第２スコア線の他端側から一端に向かって進行するパネルの破断がこの一端を超えた部分において発生した場合に、この破断を停止させることができるようになる。
また、凹み加工部を第１の凹み加工部とした場合、第１の凹み加工部の外側に、第２の凹み加工部が設けられていることを特徴とすることができる。この場合、パネルの剛性を向上させることができる。
また、第２の凹み加工部は、タブの周りを囲むように形成され、さらに第２の凹み加工部の形成に伴い生じる突起部が、第１の面側に位置していることを特徴とすることができる。この場合、パネルの剛性を向上させるだけでなく、缶蓋に付設されるタブの位置を保持し、開口時タブが回転することを抑制することができるようになる。
【０００７】
他の観点から捉えると、本発明が適用される缶蓋は、第１の面と、当該第１の面とは反対側に位置する第２の面とを有し、缶胴の開口に取り付けられるパネルと、前記パネルの前記第１の面に取り付けられ、当該パネルの予め定められた箇所を押圧するタブと、前記パネルの前記第１の面に形成され、且つ、前記予め定められた箇所を囲むように形成され、当該パネルの破断を促すスコア線と、前記パネルのうちの前記スコア線により囲まれた領域に形成され、当該領域の曲げ剛性を高める凹み加工部と、を備え、前記凹み加工部は、前記パネルの前記第１の面側から当該パネルに型を押し当てることで形成され、当該凹み加工部の形成に伴い生じる突出部が前記第２の面側に位置していることを特徴とする缶蓋である。
また、本発明を飲料缶として捉えた場合、本発明が適用される飲料缶は、飲料が収容された缶胴と、当該缶胴に取り付けられた缶蓋と、を備える飲料缶であって、前記缶蓋が、上記の何れかに記載の缶蓋である飲料缶である。
【発明の効果】
【０００８】
本発明によれば、ユーザによるタブの操作が行われていないにも関わらず缶蓋に開口が形成されることを抑制することができる。
【図面の簡単な説明】
【０００９】
【図１】飲料缶の上面図である。
【図２】（Ａ）〜（Ｄ）は、タブを説明するための図である。
【図３−１】（Ａ）、（Ｂ）は、タブが取り付けられる前の缶蓋を説明する図である。
【図３−２】（Ａ）、（Ｂ）は、缶蓋の他の構成例を示した図である。
【図３−３】（Ａ）、（Ｂ）は、缶蓋の他の構成例を示した図である。
【図４】（Ａ）〜（Ｆ）は、タブが操作された際の缶蓋の状態を示した図である。
【図５−１】パネルの破断を説明するための図である。
【図５−２】缶蓋の他の形態を示した図である。
【図６】缶蓋の他の構成例を示した図である。
【図７】缶蓋の他の構成例を示した図である。
【図８】缶蓋の他の構成例を示した図である。
【発明を実施するための形態】
【００１０】
以下、添付図面を参照して、本発明の実施の形態について詳細に説明する。
図１は、本実施の形態が適用される飲料缶１００の上面図である。この飲料缶１００は、同図に示すように、上部に開口を有するとともに下部に底部を有し且つ筒状に形成された容器本体（缶胴）２００と、容器本体２００の開口に取り付けられこの開口を塞ぐ缶蓋３００とを有している。なお、飲料缶１００の内部には、清涼飲料、炭酸飲料、アルコール飲料などの飲料が収容されている。
【００１１】
缶蓋３００は、基板として機能し容器本体２００に取り付けられる円盤状のパネル４００を有している。また、缶蓋３００には、ユーザにより操作されるタブ５００が取り付けられている。タブ５００は、ユーザによって一方の端部（図中、上端部）が操作されることで（持ち上げられることで）、パネル４００のうちの予め定められた箇所（詳細は後述）に対して他方の端部（先端部）を押し付け、パネル４００を押圧する。なお、本明細書では、タブ５００の図中上端部を被操作部５０５と称し、タブ５００の図中下端部を先端部５１０と称する。
【００１２】
タブ５００は、パネル４００の中央部からずれた位置に設けられたリベット９００によってパネル４００に固定されている。付言すると、タブ５００は、パネル４００に対して偏心した状態で設けられたリベット９００によってパネル４００に固定されている。さらに、タブ５００は、被操作部５０５と先端部５１０との間に位置する部位がリベット９００によってパネル４００に固定されている。
【００１３】
なお、本実施形態では、タブ５００が、パネル４００の中央部からずれた位置に設けられたリベット９００によってパネル４００に固定されている場合を一例に説明するが、タブ５００は、パネル４００の中央部に設けられたリベット９００によってパネル４００に固定することもできる。また、本実施形態では、先端部５１０が円弧状に形成されたタブ５００を例示するが、タブ５００は、矩形状に形成することもでき、この場合は、タブ５００の先端部５１０が直線状となる。
【００１４】
図２の（Ａ）〜（Ｄ）（タブ５００を説明するための図）を参照し、タブ５００についてさらに説明する。
なお、同図（Ａ）はタブ５００の正面図であり、同図（Ｂ）は同図（Ａ）の矢印ＩＩＢ方向からタブ５００を眺めた場合の図である。また、同図（Ｃ）はタブ５００の裏面を示した図である。また、同図（Ｄ）は、同図（Ａ）の矢印ＩＩＤ方向からタブ５００を眺めた場合の図である。
【００１５】
タブ５００は、同図（Ａ）に示すように、板状に形成され且つ略矩形状に形成されたタブ本体部５２０を有している。なお、本実施形態では、同図（Ｄ）に示すように、このタブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。
【００１６】
これにより、本実施形態では、タブ５００の曲げ剛性が高められている。さらに、タブ５００には、同図（Ａ）に示すように、先端部５１０が設けられている側とは反対側（被操作部５０５側）に、ユーザの指が引っ掛けられる貫通孔（フィンガーホール）５３０が形成されている。また、タブ５００には、先端部５１０側に、パネル４００に設けられた突出部４２０（後述）が挿入される挿入孔５４０が形成されている。さらに、挿入孔５４０の周囲には、Ｕ字状に形成され且つタブ本体部５２０を貫通する貫通部５６０が設けられている。
【００１７】
さらに、タブ本体部５２０の四方に設けられた４つのカール部のうち、タブ５００の長手方向に沿って設けられたカール部には、第１スリット５２１が形成されている。また４つのカール部のうち、タブ５００の長手方向に沿って設けられたもう一つのカール部には、第２スリット５２２が形成されている。さらに、タブ本体部５２０のうち、第１スリット５２１と第２スリット５２２との間に位置する部位には、タブ５００の短手方向に沿う溝５２３が形成されている。
【００１８】
ここで、第１スリット５２１、第２スリット５２２、溝５２３は、同一の直線上に設けられている。また、第１スリット５２１、第２スリット５２２、溝５２３は、タブ５００の幅方向に沿って設けられている。また、第１スリット５２１、第２スリット５２２、溝５２３は、挿入孔５４０と貫通孔５３０との間に配置されている。ここで、本実施形態では、このように第１スリット５２１、第２スリット５２２、溝５２３が形成されており、これらが形成された部分の剛性（曲げ剛性）が低下している。
【００１９】
このため、図２（Ｂ）に示すように、タブ５００の被操作部５０５側に荷重を加えるとタブ５００が折れ曲がるようになる。なお、本実施形態では、第１スリット５２１と第２スリット５２２との間に溝５２３を形成してこの部分の剛性を低下させたが、このような溝に限らず、例えば曲げ加工を施すことで剛性を低下させることができる。また、溝５２３は必ずしも必要ではなく、溝５２３は省略することもできる。
【００２０】
なお、図２（Ｂ）にて示す矢印の方向と逆の方向に作用する荷重を被操作部５０５に加えた場合には（図中、左方向に作用する荷重を被操作部５０５に加えた場合には）、第１スリット５２１等によりタブ５００が分割されることにより形成された、互いに対峙する２つの部位（タブ５００のうち第１スリット５２１等の両脇に位置する部分）が、互いにぶつかり、タブ５００の折れ曲がりが防止される。
【００２１】
図３−１の（Ａ）、（Ｂ）は、タブ５００が取り付けられる前の缶蓋３００を説明する図である。なお、同図（Ａ）は正面図であり、同図（Ｂ）は同図（Ａ）におけるＩＩＩＢ−ＩＩＩＢ線における断面図である。
【００２２】
図３−１（Ａ）に示すように、本実施形態の缶蓋３００は、円盤状に形成されたパネル４００を備えている。このパネル４００は、板材により形成され、第１の面４０１を有するとともに、この第１の面４０１とは反対側に第２の面４０２（図３−１（Ｂ）参照）を有している。
さらに、パネル４００は、図３−１（Ａ）に示すように、曲げ加工が施された外周縁４１０を有している。本実施形態では、この外周縁４１０と容器本体２００（図１参照）の上縁部（不図示）とが互いに接触した状態で、この外周縁４１０および上縁部に対し、いわゆる巻き締め加工が施される。これにより、缶蓋３００（パネル４００）が容器本体２００の上縁部に固定される。
【００２３】
さらに、缶蓋３００の第１の面４０１側には、タブ５００がパネル４００に固定される際に押しつぶされ、上述したリベット９００（図１参照）となる突出部（ニップル）４２０が形成されている。この突出部４２０は、パネル４００の中心部ＣＰから外れた箇所に設けられている。さらに、本実施形態では、パネル４００の表面に、第１スコア線４３０が形成されている。
【００２４】
第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。さらに説明すると、第１スコア線４３０は、タブ５００がパネル４００を押圧することにより発生するパネル４００の破断が、パネル４００の予め定められた箇所に生じるように、この破断を促す役割を有する。
【００２５】
ここで、第１スコア線４３０には、Ｕ字状に形成されたＵ字状部４３０Ａと、このＵ字状部４３０Ａに接続された直線部４３０Ｂとが設けられている。
Ｕ字状部４３０Ａは、パネル４００の中心部側からパネル４００の外周縁４１０側に向かって膨らむように形成され、パネル４００を正面から眺めた場合の形状がＵ字状となっている。さらに、Ｕ字状部４３０Ａは、パネル４００の中心部ＣＰ側に一端部４３１および他端部４３２を有し、パネル４００の外周縁４１０側に頂部４３３Ａを有する。
【００２６】
直線部４３０Ｂは、Ｕ字状部４３０Ａの一端部４３１に接続され、さらに、一端部４３１との接続部を始点として、Ｕ字状部４３０Ａの他端部４３２に向かって延びるように形成されている。付言すると、直線部４３０Ｂは、一端部４３１との接続部を始点として、Ｕ字状部４３０Ａの他端部４３２側に向かうように形成されている。さらに、直線部４３０Ｂは、図中左側に位置し一端部４３１に接続された左端部４９１と、図中右側に位置し他端部４３２の近くに配置された右端部４９２とを有する。
【００２７】
なお、本実施形態では、Ｕ字状部４３０Ａの他端部４３２、および、直線部４３０Ｂの右端部４９２がカールしており、他端部４３２を超えてのパネル４００の破断、および、右端部４９２を超えてのパネル４００の破断が抑制されるようになっている。このようにカールをしておらず、直線状に形成されている場合、他端部４３２を超えた箇所、また、右端部４９２を超えた箇所にて、パネル４００が裂け、パネル４００の破断が生じるおそれがある。付言すると、他端部４３２の図中上方にて、また、右端部４９２の図中右方にて、パネル４００の破断が生じるおそれがある。
【００２８】
Ｕ字状部４３０Ａの一端部４３１は、タブ５００の中心線ＣＬ（タブ５００の長手方向に沿った中心線）（図１も参照）を挟んで相対する二つの領域のうちの一方の領域（図中、左側の領域）側に配置されている。一方、他端部４３２は、中心線ＣＬを挟んで相対する二つの領域のうちの他方の領域（図中、右側の領域）側に配置されている。また、本実施形態では、タブ５００の中心線ＣＬを対称軸として線対称となるように、Ｕ字状部４３０Ａが形成されている。
【００２９】
さらに、本実施形態では、直線部４３０Ｂの右端部４９２と、Ｕ字状部４３０Ａの他端部４３２とが、互いに離れた状態で設けられており、これにより、右端部４９２と他端部４３２との間に、第１スコア線４３０が形成されていない不連続部が設けられている。この不連続部が設けられることによって、後述する舌片部がパネル４００から離脱せず、舌片部がパネル４００に取り付いたままの状態となる。なお、本実施形態では、タブ５００の中心線ＣＬは、図３−１に示すように、パネル４００の中心部ＣＰと、パネル４００に形成された突出部４２０とを通過する。
【００３０】
また、本実施形態では、上記中心線ＣＬと直交する仮想線であって突出部４２０（リベット９００）を通る第１仮想線ＫＬ１を想定した場合に、上記一端部４３１および他端部４３２は、この第１仮想線ＫＬ１よりもパネル４００の中心部ＣＰ側に位置する。
また、本実施形態では、図３−１に示すように、中心線ＣＬと直交する仮想線であってパネル４００の中心部ＣＰを通る第２仮想線ＫＬ２を挟んで相対する２つの領域のうちの一方の領域内に頂部４３３Ａが位置し、他方の領域内に一端部４３１および他端部４３２が位置する。
【００３１】
さらに、リベット９００となる突出部４２０は、パネル４００のうちの第１スコア線４３０により囲まれている部位に設けられている。また、Ｕ字状部４３０Ａには、図３−１に示すように湾曲部４３３が設けられている。この湾曲部４３３は、パネル４００の外周縁４１０側に膨らみ、また、突出部４２０よりもパネル４００の外周縁４１０側を通る。また、湾曲部４３３は、中心線ＣＬと交わる箇所に頂部４３３Ａを有する。
【００３２】
本実施形態では、ユーザによりタブ５００が操作されることで、第１スコア線４３０により囲まれた領域がタブ５００により押圧され、第１スコア線４３０が形成されている箇所にてパネル４００が破断する（詳細は後述）。これにより、第１スコア線４３０が形成されている領域が舌片状となり、且つ、この領域が飲料缶１００の内部に向かって折れ曲がる。これにより、飲料缶１００に、飲み口としての役割を果たす開口が形成される。
なお、本明細書では、以下、第１スコア線４３０にて生じる破断により形成される上記舌片状の部位を舌片部と称する場合がある。
【００３３】
さらに、本実施形態では、パネル４００の表面に、第２スコア線４５０が形成されている。この第２スコア線４５０も、パネル４００の表面に形成された溝により構成されており、パネル４００の破断を誘導する役割を果たす。第２スコア線４５０は、第１仮想線ＫＬ１を挟み相対する２つの領域のうちの、頂部４３３Ａ（Ｕ字状部４３０Ａの頂部４３３Ａ）が設けられている領域内に設けられている。
【００３４】
また、第２スコア線４５０は、一端部４５１および他端部４５２を有している。ここで第２スコア線４５０の他端部４５２は、第１スコア線４３０に設けられた湾曲部４３３に接続されている。このため、本実施形態では、第１スコア線４３０と第２スコア線４５０とが接続する箇所にて、スコア線が分岐する。
【００３５】
第２スコア線４５０の他端部４５２は、第１スコア線４３０の湾曲部４３３のうちの中心線ＣＬと第１仮想線ＫＬ１との間に位置する部位に対して接続されている。さらに説明すると、第２スコア線４５０の他端部４５２は、第１スコア線４３０のうちの頂部４３３Ａと他端部４３２との間に位置する部位に接続されている。また、第２スコア線４５０の他端部４５２は、第１スコア線４３０のうち、頂部４３３Ａが設けられている箇所以外の箇所に接続されている。
【００３６】
さらに説明すると、第１スコア線４３０と第２スコア線４５０との接続部は、中心線ＣＬとＵ字状部４３０Ａとが交差する交差箇所ＫＰ以外の箇所に設けられている。また、本実施形態では、第２スコア線４５０は、第１スコア線４３０との接続部から、第１スコア線４３０により囲まれている領域内に向かうように設けられている。
【００３７】
また、本実施形態では、中心線ＣＬと直交する関係で配置された第１仮想線ＫＬ１よりも上記交差箇所ＫＰが設けられている側に、第１スコア線４３０と第２スコア線４５０との接続部が設けられている。また、本実施形態では、中心線ＣＬと直交する関係で配置された第１仮想線ＫＬ１よりも領域ＲＡが位置する側に、第１スコア線４３０と第２スコア線４５０との接続部が設けられている。付言すると、本実施形態では、パネル４００のうちの領域ＲＡの部分がタブ５００により押圧されるが、第１仮想線ＫＬ１よりも、この押圧される部分が位置する側に、第１スコア線４３０と第２スコア線４５０との接続部が設けられている。さらに、本実施形態では、領域ＲＡが第１スコア線４３０によって囲まれた状態となっている。
【００３８】
また、本実施形態では、第１スコア線４３０と第２スコア線４５０との接続部と、Ｕ字状部４３０Ａの一端部４３１との距離の方が、接続部とＵ字状部４３０Ａの他端部４３２との距離よりも大きくなっている。さらに説明すると、Ｕ字状部４３０Ａの一端部４３１と上記接続部との間に位置する部位の長さの方が、Ｕ字状部４３０Ａの他端部４３２と上記接続部との間に位置する部位の長さよりも大きくなっている。
【００３９】
なお、本実施形態では、パネル４００の中央部側から図中右下方向に向かうように第２スコア線４５０が形成されている場合を説明したが、第２スコア線４５０は、図中左下方向に向かうように形成してもよい。この場合、第２スコア線４５０は、Ｕ字状部４３０Ａの頂部４３３Ａと一端部４３１との間に位置する部位に接続される。
【００４０】
さらに、第２スコア線４５０の一端部４５１は、突出部４２０の近傍に設けられている。また、第２スコア線４５０の一端部４５１は、中心線ＣＬを挟んで相対する２つの領域のうちの一方の領域側に配置され、第２スコア線４５０の他端部４５２は、この２つの領域のうちの他方の領域側に配置されている。さらに、第２スコア線４５０は、他端部４５２から突出部４２０に向かう直線部４５３を有する。また、直線部４５３に接続されるとともに円柱状に形成された突出部４２０との間に距離を有して配置され且つ突出部４２０の外周縁に沿うように形成された湾曲部４５４を有する。
【００４１】
第２スコア線４５０の湾曲部４５４は、突出部４２０とＵ字状部４３０Ａとの間に形成されている。詳細には、Ｕ字状部４３０Ａの頂部４３３Ａと突出部４２０との間に形成されている。付言すると、中心線ＣＬ上において、突出部４２０とＵ字状部４３０Ａとの間に、第２スコア線４５０の湾曲部４５４が配置されている。
【００４２】
また、湾曲部４５４は、パネル４００のうちのタブ５００により押圧される領域ＲＡと突出部４２０との間を通過するように設けられている。付言すると、本実施形態では、上記領域ＲＡよりも突出部４２０（リベット９００）が設けられている側を通るように、第２スコア線４５０が設けられるとともに、この第２スコア線４５０は、領域ＲＡと突出部４２０との間を通過するように設けられている。
【００４３】
また、第２スコア線４５０の湾曲部４５４は、中心線ＣＬと交差するように設けられている。さらに説明すると、本実施形態における第２スコア線４５０は、領域ＲＡと突出部４２０との間を通過した後、中心線ＣＬと交差する方向に沿って進行し、第１スコア線４３０のＵ字状部４３０Ａに接続される。
【００４４】
さらに説明すると、中心線ＣＬと交差する方向に沿って且つＵ字状部４３０Ａに向かって進行する第２スコア線４５０は、領域ＲＡの脇を通過する。また、第２スコア線４５０は、領域ＲＡと突出部４２０との間を通過した後、第１仮想線ＫＬ１から次第に離れるように進行し、Ｕ字状部４３０Ａに接続される。
【００４５】
更に、本実施形態では、パネル４００に対して金型が押し当てられて凹みが形成されるエンボス加工が施され、パネル４００には、凹み加工部の一例としての凹溝７０が形成されている。なお、本実施形態では、パネル４００の第１の面４０１側から金型が押し当てる。
凹溝７０は、パネル４００のうちの第１スコア線４３０により囲まれている領域内に形成されている。また、本実施形態では、上記のとおり、パネル４００の第１の面４０１側から金型が押し当てるため、凹溝７０は、図３−１（Ｂ）に示すように、缶蓋３００の裏面側（パネル４００の第２の面４０２側、飲料缶１００の内部側）にパネル４００の一部が突出するように形成される。
【００４６】
なお、このように、缶蓋３００の裏面側（飲料缶１００の内部側）に突出するように凹溝７０が形成される場合、この凹溝７０内に塵やほこりなどが溜まるおそれがある。このため、本実施形態では、図１に示すように、凹溝７０の全てを、タブ５００の背後に位置させ、タブ５００によって凹溝７０を覆うようにしている。
付言すると、本実施形態では、図１のように、パネル４００の第１の面４０１側からパネル４００を眺めた場合に、凹溝７０がタブ５００の背後に位置し、凹溝７０が隠れるようになっている。さらに、説明すると、本実施形態では、パネル４００の第１の面４０１側からパネル４００を眺めた場合に、図１に示すように、タブ５００の外周縁５０１よりも内側に、凹溝７０が位置するようになっている。
【００４７】
これにより、凹溝７０が露出している場合に比べ、凹溝７０内に塵やほこりが溜まることが抑制されるようになる。なお、本実施形態では、凹溝７０の全てをタブ５００の背後に位置させたが、一部をタブ５００の背後に位置させ他の部分を露出させてもよい。この場合も、この一部の部分において、凹溝７０内に、塵やほこりが溜まることが抑制される。
【００４８】
また、凹溝７０は、図３−１（Ａ）に示すように、突出部４２０（リベット９００）を囲むように形成されている。付言すると、凹溝７０は、タブ５００がパネル４００に対して取り付けられる取り付け部を囲むように形成されている。さらに、凹溝７０は、第２スコア線４５０の終端である一端部４５１を囲むように形成されている。付言すると、本実施形態の凹溝７０は、ほぼ環状に形成されており、このように環状に形成された凹溝７０の内側に、突出部４２０および第２スコア線４５０の一端部４５１が配置されている。
【００４９】
ここで、凹溝７０についてさらに詳細に説明する。
凹溝７０は、図３−１（Ａ）に示すように、一端７１および他端７２を有している。
さらに、上記では説明を省略したが、本実施形態では、第１スコア線４３０によって囲まれた領域が、第２スコア線４５０によって分割されており、第２スコア線４５０よりも図中左下側に、第１領域８１が位置し、第２スコア線４５０よりも図中右上側に、第２領域８２が位置している。付言すると、本実施形態では、第１スコア線４３０によって囲まれた領域が第２スコア線４５０によって分割されることによって、第１スコア線４３０によって囲まれた領域内には、第２スコア線４５０を挟んで相対する第１領域８１および第２領域８２が設けられた構成となっている。そして、本実施形態では、第１領域８１内に凹溝７０の一端７１が位置し、第２領域８２内に凹溝７０の他端７２が位置する構成となっている。
【００５０】
さらに、本実施形態では、第２スコア線４５０は、他端部４５２については第１スコア線４３０に接続されているが、一端部４５１については第１スコア線４３０に接続されておらず、この一端部４５１と第１スコア線４３０との間には、スコア線が形成されていない非形成領域ＮＥが設けられている。そして、本実施形態では、凹溝７０が、この非形成領域ＮＥを通過する形で設けられている。付言すると、凹溝７０は、一端７１を始点とした場合に他端７２に向かって進行するように形成されているが、この際、凹溝７０は、上記非形成領域ＮＥを通過する。付言すると、凹溝７０は、一端７１を始点として他端７２に向かって進行する際、第２スコア線４５０と交わらずに、第２スコア線４５０の一端部４５１の脇を通過する。
【００５１】
凹溝７０について更に説明すると、凹溝７０には、タブ５００の中心線ＣＬが延びる方向と直交する方向に沿って延び、且つ、第１スコア線４３０の直線部４３０Ｂと突出部４２０との間を通過する第１直線部７３が設けられている。さらに、この第１直線部７３の図中右端部に接続され、この右端部との接続部から図中下方（第２スコア線４５０）に向かって延びる第２直線部７４が設けられている。
【００５２】
さらに、第１直線部７３の図中左端部に接続され、左端部との接続部から図中下方（Ｕ字状部４３０Ａの湾曲部４３３）に向かって延びる第３直線部７５が設けられている。さらに、第３直線部７５の図中下端部に接続され、第３直線部７５との接続部から、第２直線部７４の図中下端部に向かって延びる曲線部７６が設けられている。この曲線部７６は、曲率を有して形成され且つパネル４００の外周縁４１０側に向かって膨らむように形成されている。
【００５３】
図３−２（Ａ）、（Ｂ）、および、図３−３（Ａ）、（Ｂ）は、缶蓋３００の他の構成例を示した図である。
図３−２に示す構成例では、前記凹溝７０を環状に付設して、凹溝７０の外側にさらに凹溝７０を設けた缶蓋３００の実施例を示している。なお、本図では、配置されるタブ５００を点線で示している。同図（Ａ）は正面図であり、同図（Ｂ）は同図（Ａ）におけるＩＩＩ２Ｂ方向から見た断面を示している。図３−２（Ａ）および（Ｂ）に示すように、凹溝７０はパネル４００の裏面側（第２の面４０２側）に向かって突出し、さらに、凹溝７０を覆うようにしてタブ５００が配置されている。
【００５４】
図３−３に示す構成例では、前記凹溝７０の外側に凹溝７００をさらに設けた缶蓋３００の別の実施例を示している。同図（Ａ）は正面図であり、同図（Ｂ）は同図（Ａ）におけるＩＩＩ３Ｂ方向から見た断面を示している。図３−３（Ａ）および（Ｂ）に示すように、凹溝７０はパネル４００の裏面側（第２の面４０２側）に向かって突出し、さらに、凹溝７０の上を覆うようにタブ５００が配置されている。
【００５５】
また、凹溝７００は、凹溝７０の外側であってかつ第１スコア線４３０の内側に付設され、さらに、タブ５００の先端部を沿うように付設されている。また、凹溝７００はパネル４００の表面側（第１の面４０１側）に向かって突出していて、凹溝７００の形成により生じた突出部の側面と、タブ５００の先端部の側面とが、互いに接するような状態にある。さらに、凹溝７００は、第２スコア線４５０を跨がないように形成されている。
【００５６】
ここで、図４の（Ａ）〜（Ｆ）（タブ５００が操作された際の缶蓋３００の状態を示した図）を参照し、タブ５００が操作された際の缶蓋３００の状態について説明する。なお、図４（Ａ）〜（Ｆ）の各々では、缶蓋３００を正面から眺めた場合の缶蓋３００の状態、および、缶蓋３００を側方から眺めた場合の缶蓋３００の状態の二つの状態を図示している。また、図４（Ａ）〜（Ｆ）の各々では、凹溝７０および凹溝７００の図示を省略している。
【００５７】
本実施形態では、タブ５００の被操作部５０５（後端部）がユーザにより持ち上げられると、タブ５００の先端部５１０が、第２スコア線４５０の湾曲部４５４と、第１スコア線４３０（Ｕ字状部４３０Ａ）の頂部４３３Ａとの間に位置する領域ＲＡ（図３−１参照）を押圧する。付言すると、本実施形態では、タブ５００の被操作部５０５（後端部）がユーザにより持ち上げられると、リベット９００よりも頂部４３３Ａ側に位置する領域ＲＡがタブ５００により押圧される。そして、領域ＲＡがタブ５００により押圧されると、まず、この領域ＲＡとリベット９００（突出部４２０）との間を通過するように設けられた第２スコア線４５０の湾曲部４５４にて、パネル４００が破断する（図４（Ｂ）参照）。
【００５８】
その後、第２スコア線４５０に沿ってパネル４００の破断が進行し、図４（Ｃ）に示すように、第１スコア線４３０と第２スコア線４５０との接続部まで、パネル４００が破断する。
なお、本実施形態では、第２スコア線４５０に沿ってパネル４００の破断が進行する際、第１スコア線４３０と第２スコア線４５０との接続部に向かう方向のみではなく、この向かう方向とは反対方向にもパネル４００の判断が進行する。付言すると、図４（Ｃ）にて矢印４ａに示す方向へも、パネル４００の破断が進行する。
【００５９】
ところで、本実施形態では、図４（Ｃ）に示すように、第２スコア線４５０の一端部４５１に対して、カールが付与されており、この一端部４５１を超えてのパネル４００の破断は抑制され、この一端部４５１にてパネル４００の破断が停止するようになる。
【００６０】
なお、仮に、一端部４５１を超えてパネル４００が破断しても、本実施形態では、図３−１（Ａ）に示すように、第２スコア線４５０の延長線上に（非形成領域ＮＥが位置する箇所に）、凹溝７０が位置しており、この凹溝７０によってパネル４００の破断の進行が抑制される。付言すると、本実施形態では、図３−１（Ａ）に示すように、第２スコア線４５０の一端部４５１の周囲に、凹溝７０が位置しており、一端部４５１を超えてパネル４００の破断が起きても、凹溝７０によって、この破断の進行が抑制される。
【００６１】
図４（Ｄ）を参照し、パネル４００の状態をさらに説明する。
第１スコア線４３０と第２スコア線４５０との接続部までパネル４００の破断が進行すると、本実施形態では、図４（Ｄ）に示すように、接続部からＵ字状部４３０Ａの一端部４３１に向かうパネル４００の破断、および、接続部からＵ字状部４３０Ａの他端部４３２に向かうパネル４００の破断がさらに進行する。
【００６２】
その後、本実施形態では、ユーザによって、飲料缶１００の内部方向に向けてタブ５００が押し込まれる。これにより、図４（Ｅ）に示すように、Ｕ字状部４３０Ａの一端部４３１および他端部４３２までパネル４００の破断がさらに進行する。さらに、直線部４３０Ｂに沿ってのパネル４００の破断が進行する。
これにより、第１スコア線４３０により囲まれていた領域が舌片部となる。また、舌片部の根元（直線部４３０Ｂの右端部４９２（図３−１（Ａ）参照）とＵ字状部４３０Ａの他端部４３２との間に位置する箇所）にて、舌片部は折り曲げられ、舌片部は飲料缶１００の内部に進入する。これにより、缶蓋３００には、飲み口として機能する開口が形成された状態となる。
【００６３】
なお、本実施形態では、この舌片部に、リベット９００（突出部４２０）が設けられた構成となっており、これにより、形成される開口（飲み口）をより大きなものとすることができるようになる。通常の缶蓋では、リベットが設けられている箇所を外した箇所に開口が形成されるため、リベットがあると、このリベットの分、開口を小さくする必要が生じる。本実施形態では、リベットが設けられている箇所も開口とすることができ、開口をより大きなものとすることができる。
【００６４】
図４（Ｆ）を参照し、缶蓋３００の状態について説明する。
開口が形成された後、ユーザによりタブ５００がさらに操作される。具体的には、タブ５００を戻す操作が行われ、図４（Ｆ）に示すように、タブ５００の被操作部５０５側が折れ曲がる。これにより、タブ５００の被操作部５０５側が缶蓋３００のパネル４００に沿うようになる。この場合、被操作部５０５側の突出がなくなり、ユーザは、被操作部５０５が突出している場合に比べ、内部の飲料を飲みやすくなる。
【００６５】
ここで、本実施形態では、このようにタブ５００が折れ曲がることで、タブ５００の先端部５１０が飲料缶１００の内部に入り込んだ状態が維持される。付言すると、起こしたタブ５００をパネル４００に沿うように寝かしたとしても、タブ５００の被操作部５０５側だけが折れ曲がるので、タブ５００の先端部５１０が飲料缶１００の内部に入り込んだ状態が維持される。これにより、形成された開口がタブ５００の先端部５１０により塞がれることが抑制され、開口がより大きなものとなる。
【００６６】
なお、本実施形態では、折れ曲がるタブ５００を一例に説明したが、折れ曲がりが生じないタブ５００を用いることも当然可能である。なお、折れ曲がりが生じないタブ５００を用いる場合は、タブ５００の被操作部５０５の突出量を小さくすることが望ましい。付言すると、図１にて、符号１Ａで示す部分を小さくすることが好ましい。
折れ曲がりが生じないタブ５００を用いる場合は、タブ５００の被操作部５０５がパネル４００の表面から突出した状態で内部の飲料が飲まれることが想定されるが、被操作部５０５の突出量を小さくしておくと、突出量が大きい場合に比べ、ユーザは、内部の飲料を飲みやすくなる。
その他、図３−１（Ａ）にて、突出部４２０（リベット９００）を通る第１仮想線ＫＬ１と直線部４３０Ｂの距離を大きくすることにより、タブ５００が缶内に深く侵入するため、被操作部５０５の突出量を小さくすることができる。
【００６７】
ここで、第１スコア線４３０および第２スコア線４５０にて生じるパネル４００の破断について、図５−１（パネル４００の破断を説明するための図）を参照し更に説明する。
本実施形態では、上記のとおり、タブ５００の被操作部５０５がユーザにより持ちあげられると、第２スコア線４５０の湾曲部４５４と第１スコア線４３０（Ｕ字状部４３０Ａ）の頂部４３３Ａとの間に位置する領域ＲＡ（図３−１（Ａ）参照）がタブ５００により押圧される。これにより、まず、第２スコア線４５０の湾曲部４５４にてパネル４００が破断する。
【００６８】
その後、第２スコア線４５０に沿ってパネル４００の破断が進行し、第１スコア線４３０と第２スコア線４５０との接続部まで、パネル４００が破断する。その後、第１スコア線４３０にてパネル４００が破断する。具体的には、図５−１に示すように、第１スコア線４３０のうち、符号４Ｃで示す領域にて、パネル４００の破断が生じるようになる。
【００６９】
詳細に説明すると、本実施形態では、領域ＲＡにタブ５００が押し付けられ、領域ＲＡが飲料缶１００の内部方向に押圧されるが、このとき、タブ５００によって、飲料缶１００の外側方向に（図５−１における紙面の手前側方向に）、突出部４２０が引っ張られる。これにより、飲料缶１００の外側方向に、図５−１にて符号４Ｂで示す部位が引っ張られる。なお、本明細書では、以下、この符号４Ｂで示す部位を「引っ張り部位４Ｂ」と称する。
【００７０】
この結果、符号４Ｃで示す領域に対しせん断力が作用し、この符号４Ｃで示す領域にて、パネル４００が破断する。付言すると、第１スコア線４３０のうち、接続部よりも他端部４３２側に位置する部位にて、パネル４００が破断する。なお、このように、接続部よりも他端部４３２側に位置する部位にて、パネル４００が破断すると、引っ張り部位４Ｂがパネル４００から浮き、これに伴い、タブ５００も、当初の位置から上方（パネル４００から離れる方向）に向かって移動するようになる。
【００７１】
また、本実施形態では、領域ＲＡに対するタブ５００の押し付けが継続され、この押し付けによって、パネル４００のうちの符号４Ａで示す部位（以下、この部位を「押し付け部位４Ａ」と称する）が、飲料缶１００の内部方向に向けて押圧される。これにより、符号４Ｄで示す領域に対しせん断力が作用し、この符号４Ｄで示す領域にて、パネル４００が破断する。付言すると、Ｕ字状部４３０Ａのうち、接続部よりも一端部４３１側に位置する部位にて、パネル４００が破断する。
【００７２】
なお、本実施形態では、上記のとおり、凹溝７０（図５−１では不図示）が設けられており、これにより、凹溝７０が設けられていない場合に比べ、タブ５００による領域ＲＡ（押し付け部位４Ａ）の押圧がより確実に行われるようになっている。付言すると、本実施形態では、符号４Ｄで示す領域に対しせん断力を作用させる際に、タブ５００による領域ＲＡの押圧がより確実に行われるようになる。
【００７３】
ここで、本実施形態では、上記のとおり、符号４Ｃで示す領域にてパネル４００が破断すると、引っ張り部位４Ｂが浮くようになるが、凹溝７０が設けられていると、引っ張り部位４Ｂの、パネル４００からの浮き量が小さくなる。付言すると、凹溝７０が設けられていると、パネル４００のうちの第１スコア線４３０により囲まれた領域の曲げ剛性が高まるため、この囲まれた領域は変形しにくくなり、これにより、引っ張り部位４Ｂのパネル４００からの浮き量は小さくなる。
【００７４】
そしてこの場合、タブ５００による領域ＲＡの押圧がより確実になされるようになる。付言すると、引っ張り部位４Ｂのパネル４００からの浮き量が小さくなると、タブ５００の先端部５１０が領域ＲＡから大きく離れてしまうことが抑制され、先端部５１０から領域ＲＡに対して作用する荷重の低減が抑制される。そして、この場合、符号４Ｄで示す領域にて、パネル４００の破断がより確実に生じるようになる。
【００７５】
図１を見た場合、タブ５００の被操作部５０５がユーザにより持ち上げられると、リベット９００を支点として先端部５１０がパネル４００上の領域ＲＡを押圧し開口が形成される。これを、図５−１で見た場合、リベット９００である突出部４２０は引っ張り部位４Ｂの領域内にあり、領域ＲＡは押し付け部位４Ａの領域内にある。
開口のため被操作部５０５が持ち上げられると、先端部５１０は押し付け部位４Ａを押し下げるようになり、リベット９００は引っ張り部位４Ｂを浮かせるようになる。このため、開口の過程では、押し付け部位４Ａと引っ張り部位４Ｂは互いに異なる方向に移動することになる。
一方、開口は先端部５１０の押圧により進行するため、先端部５１０のパネル４００に対する進行量（押し込み量）はリベット９００と先端部５１０との距離が限度となる。これにより、引っ張り部位４Ｂの浮き量が大きくなると、タブ５００を引き起こしたときリベット９００が大きく浮き上がり、タブ５００の先端部５１０が領域ＲＡを押圧することができなくなる恐れがある。そのため、引っ張り部位４Ｂの浮き量は小さいことが望ましくなる。
【００７６】
ここで、凹溝７０が形成されておらず引っ張り部位４Ｂが浮きやすいと、タブ５００の先端部５１０がパネル４００から離れ、この場合、パネル４００に対し、タブ５００からの荷重が作用しにくくなる。そして、この場合、符号４Ｄで示す領域におけるパネル４００の破断が生じにくくなる。
【００７７】
なお、本実施形態では、上記のとおり、缶蓋３００の裏面側（飲料缶１００の内部側）にパネル４００の一部が突出する状態で、凹溝７０が形成されている。ここで、例えば、缶蓋３００の表面側（飲料缶１００の外部側）にパネル４００の一部が突出する状態で、凹溝７０が形成されていると、飲料缶１００の輸送時等に、開口が形成されやすくなってしまうおそれがある。
【００７８】
ここで、輸送時などでは、内容物が充填された飲料缶１００が重ねられることがあり、この場合、上に位置する飲料缶１００によって、下に位置する飲料缶１００のタブ５００が押圧されるおそれがある。このような場合、缶蓋３００の表面側にパネル４００の一部が突出する状態で、凹溝７０が形成されていると、凹溝７０がタブ５００により押圧され、これに伴い、パネル４００の破断が生じてしまうおそれがある。
【００７９】
また、上記では、タブ５００の背後（対向位置）に凹溝７０が形成された態様を説明したが、タブ５００の背後に凹溝７０が位置しておらず、凹溝７０が露出した態様も考えられる。ところで、この態様においても、缶蓋３００の表面側にパネル４００の一部が突出する状態で、凹溝７０が形成されていると、缶蓋３００の表面が他の部材等により押される可能性が高まり、パネル４００の破断が生じやすくなってしまう。
【００８０】
一方で、本実施形態のように、缶蓋３００の裏面側にパネル４００の一部が突出する状態で、凹溝７０が形成されていると、ユーザが意図していないにも関わらずパネル４００が押圧されることが生じにくくなり、これに伴い、ユーザが意図していないにも関わらず缶蓋３００に開口が形成されることが起きにくくなる。
【００８１】
また、本実施形態では、同様の理由で、エンボスビードを省略した構成としている。ここで、エンボスビードとは、エンボス加工によって形成された、缶蓋３００の表面側（飲料缶１００の外部側）に突出する凸部である。そして、このエンボスビードは、通常、タブ５００の先端部５１０により押圧される箇所に設置される。
【００８２】
ここで、エンボスビードを設けた場合、パネル４００に対するタブ５００の角度がより小さい状態のときに、タブ５００によるパネル４００の押圧が開始される。そして、この場合、舌片部を飲料缶１００のより奥まで押し込めるようなり、形成される開口がより大きなものとなる。
【００８３】
ところで、このようなエンボスビードを設けた場合、缶蓋３００の表面側に凸となるように凹溝７０が形成された場合と同様、飲料缶１００の輸送時などに、開口が形成されやすくなってしまう。一方で、本実施形態のように、エンボスビードを省略した構成とした場合は、このような意図しない開口の形成が起きにくくなる。
【００８４】
図５−１を再び参照し、パネル４００の破断についてさらに説明する。
符号４Ｄで示す領域までパネル４００の破断が生じた後、本実施形態では、ユーザによって、飲料缶１００の内部方向に向けてタブ５００が押し込まれる。これにより、第１スコア線４３０にてパネル４００の破断がさらに生じる。具体的には、図中符号４Ｅで示す領域、および、図中符号４Ｆで示す領域の二つの領域にて、パネル４００が破断する。さらに、図中符号４Ｇで示す領域（直線部４３０Ｂの設置箇所）においてもパネル４００の破断が生じる。
【００８５】
さらに、本実施形態では、舌片部の根元（直線部４３０Ｂの右端部４９２と、Ｕ字状部４３０Ａの他端部４３２との間に位置する箇所）にて舌片部が折れ曲がる。これにより、舌片部が飲料缶１００の内部に進入し、飲料缶１００に開口が形成される。
【００８６】
ここで、本実施形態では、Ｕ字状部４３０Ａに接続して直線部４３０Ｂが設けられているため、Ｕ字状部４３０Ａからのパネル４００の破断が継続して直線部４３０Ｂのパネル４００の破断へ繋がり、舌片部の形成を容易にし、さらに舌片部の折り曲げを行う際のタブ５００の操作荷重が小さくなる。
ここで、直線部４３０Ｂが設けられておらず、Ｕ字状部４３０Ａのみが形成されている場合、パネル４００の折り曲げを要する領域が大きくなり、タブ５００の操作荷重が大きくなりやすい。
【００８７】
特に本実施形態の構成では、タブ５００の取り付け箇所が舌片部となっており、梃子の原理を利用しての舌片部の押圧は難しい。付言すると、図５−１にて符号５Ａで示す箇所など、第１スコア線４３０よりも外側にタブ５００の取り付け箇所がある場合には、梃子の原理を利用できるが、本実施形態のように、舌片部に対してタブ５００が取り付けられていると、梃子の原理を利用できなくなる。そして、このように梃子の原理が利用できない場合、タブ５００の操作荷重が大きくなりやすい。一方で、本実施形態では、直線部４３０Ｂが設けられているために、曲げを要する部分が減じられ、これにより、タブ５００の操作荷重が大きくなることが抑制される。
【００８８】
なお、上記では説明を省略したが、本実施形態の直線部４３０Ｂは、図３−１（Ａ）に示すように、Ｕ字状部４３０Ａの一端部４３１との接続箇所を始点した場合に、タブ５００の中心線ＣＬを超える箇所まで達するように設けられている。付言すると、直線部４３０Ｂは、Ｕ字状部４３０Ａの頂部４３３Ａと、突出部４２０（タブ５００の取り付け箇所）とを通って延びる直線を超える箇所までその一部が達するように形成されている。
この場合、タブ５００の中心線ＣＬを超える箇所まで直線部４３０Ｂが達していない構成に比べ、舌片部のうちの曲げを要する領域を小さくでき、タブ５００の操作荷重を小さくできるようになる。
【００８９】
また、本実施形態では、図３−１（Ａ）に示すように、第１仮想線ＫＬ１や第２仮想線ＫＬ２と直線部４３０Ｂとが平行となるように、直線部４３０Ｂを設けた場合を一例に説明したが、第１仮想線ＫＬ１や第２仮想線ＫＬ２に対し、直線部４３０Ｂが傾斜した状態となるように、直線部４３０Ｂを設けてもよい。また、本実施形態では、直線部４３０Ｂを直線状に形成した場合を一例に説明したが、この直線部４３０Ｂの一部や全体に曲率を付与したりするようにしてもよい。
【００９０】
また、本実施形態では、第１スコア線４３０にてパネル４００の破断が生じる際、上記にて説明したとおり、また、図５−１にて示したとおり、まず、接続部よりも他端部４３２側（符号４Ｃで示す領域）にてパネル４００の破断が生じ、次いで、接続部よりも一端部４３１側（符号４Ｄで示す領域）にてパネル４００の破断が生じる。これにより、本実施形態では、ユーザがタブ５００を操作する際の操作荷重が小さくなる。
【００９１】
ここで、例えば、接続部よりも一端部４３１側および接続部よりも他端部４３２側の両側にて同時に、パネル４００の破断が生じる場合、二箇所にて同時にパネル４００の破断が生じるようになる。かかる場合、タブ５００に対し、二箇所の破断に要する操作荷重を加える必要が生じ、タブ５００の操作荷重が大きくなる。
【００９２】
一方で、本実施形態では、接続部よりも他端部４３２側にてパネル４００の破断がまず生じ、次いで、接続部よりも一端部４３１側にてパネル４００の破断が生じる。この場合、タブ５００に対し、一箇所の破断に要する操作荷重を加えるだけですみ、二箇所で同時にパネル４００が破断する場合に比べ、タブ５００の操作荷重が小さくなる。
【００９３】
さらに、本実施形態では、中心線ＣＬ上から外れた箇所に、上記接続部を設けることで、タブ５００の操作荷重を小さくしている。ここで、例えば、上記接続部が中心線ＣＬ上に位置している場合、接続部から一端部４３１に向かってのパネル４００の破断、および、接続部から他端部４３２に向かってのパネル４００の破断が同じタイミングで発生しやすくなる。かかる場合、二箇所で且つ同時にパネル４００の破断が発生する状態となり、一箇所でパネル４００の破断が発生する場合に比べ、タブ５００の操作荷重が大きくなる。
【００９４】
また、本実施形態では、第１スコア線４３０と第２スコア線４５０との接続部が中心線ＣＬ上にないため、押し付け部位４Ａと引っ張り部位４Ｂが互いに異なる方向に移動し開口が形成される。これに対し、図５−２（缶蓋３００の他の形態を示した図）に示すように、第１スコア線４３０と第２スコア線４５０との接続部が中心線ＣＬ上にある場合、パネル４００上の二つの領域が、タブ５００の先端部５１０によって同時に押圧されるようになる。
【００９５】
ここで、図５−２に示すように、第２スコア線４５０により分割される第１スコア線４３０内の領域を４Ｘ、４Ｙとする。このとき、タブ５００（点線）の長手方向は中心線ＣＬに沿うように付設されるため、タブ５００の先端部５１０の裏側に部位４Ｘおよび部位４Ｙが位置するようになる。このため、タブ５００の操作により先端部５１０が押圧するパネル４００上の部位は、４Ｘおよび４Ｙとなる。なお、以下、これらの部位を押しつけ部位４Ｘおよび押しつけ部位４Ｙとよぶ。
【００９６】
図５−２に示す形態にて、タブ５００を操作すると、最初に湾曲部４５４からパネル４００の破断が開始する。その後、パネル４００の破断は、第２スコア線４５０を経由して第１スコア線４３０上の接続部に到達する。接続部に到達した後、第１スコア線４３０によるパネル４００の破断は、押し付け部位４Ｘと押し付け部位４Ｙの二箇所同時に進行する。つまり、接続部以降のパネル４００の破断は、先端部５１０が押し付け部位４Ｘと押し付け部位４Ｙの二箇所を同時に押圧してパネル４００の破断を進行させることになる。そのため、一箇所を押圧する場合に比べ、タブ５００の操作荷重は大きくなる。
【００９７】
一方、本実施形態は、タブ５００の先端部５１０が押圧する部位は押し付け部位４Ａの一箇所のみである。このとき、引っ張り部位４Ｂにかかる荷重は、先端部５１０がパネル４００を押圧する荷重の反力として突出部４２０（リベット９００）が受ける荷重であり、引っ張り部位４Ｂのために新たな外力を必要としていない。そのため、本実施形態の場合、タブ５００は押し付け部位４Ａの一箇所のパネル４００の破断に要する操作荷重を加えるだけで済み、接続部が中心線ＣＬ上にある場合に比べタブ５００の操作荷重は小さくなる。
【００９８】
ここで、パネル４００に形成される凹溝７０および凹溝７００について検討する。
図３−１では、開口形成により缶内に侵入するパネル４００の部位は、第１スコア線４３０で囲まれた領域である。このとき、第１スコア線４３０で囲まれた領域は、第２スコア線４５０により、押し付け部位４Ａと引っ張り部位４Ｂ（図５−１参照）とに分かれ、互いに相反する方向に移動して開口が形成される。このとき、引っ張り部位４Ｂの移動量は少ないことが望ましい。そのため、凹溝７０がない場合に比べ、凹溝７０がある場合の方が、押し付け部位４Ａおよび引っ張り部位４Ｂの曲げ剛性が向上するため、凹溝７０があることが望ましくなる。図３−２では、凹溝７０を増加したことにより、図３−１の場合に比べ、押し付け部位４Ａおよび引っ張り部位４Ｂの曲げ剛性はさらに向上する。
【００９９】
図３−３では、図３−２の場合と同じ、凹溝７０を複数にしたものであるが、図３−３（Ａ）に示すように、凹溝７００は、タブ５００の裏側ではなく、タブ５００の先端部５１０の外側で、先端部５１０周辺を囲むように形成されている。また、図３−３（Ｂ）に示すように、凹溝７０の突出方向はパネル４００の裏面側であるが、凹溝７００の突出方向はパネル４００の表面側となっている。
【０１００】
この場合、凹溝７０のパネル４００の表面上にはタブ５００が配置しているため、凹溝７０とタブ５００の接触を避ける意味で、この方向が望ましくなる（凹溝７０の突出方向をパネル４００の裏面側とすることが望ましくなる）。
一方、凹溝７００の突出方向はパネル４００の表面側であり、同じパネル４００の表面側にはタブ５００が配置されている。さらに、タブ５００の側面と凹溝７００の側面（凹溝７００の形成により生じた突起の側面）は互いに近い状態にある。
【０１０１】
ここで、凹溝７０と凹溝７００がない場合に比べ、凹溝７０と凹溝７００のある方が、押し付け部位４Ａおよび引っ張り部位４Ｂの曲げ剛性は向上する。さらに、凹溝７００はタブ５００を囲むようにして形成され、互いの側面の距離が近い状態であるため、タブ５００の位置を保持し、リベット９００を中心としてタブ５００が回転することを防止する効果がある。缶蓋３００の製造過程において、タブ５００をパネル４００上に配置し、その後、リベット９００の上部を潰してタブ５００は缶蓋３００に固着される。
【０１０２】
このとき、本実施形態の場合、タブ５００は突出部４２０（リベット９００）により中心位置が決められ、さらに凹溝７００によりタブ５００の方向も決められ、パネル４００に対しタブ５００が正確に配置される。また、タブ５００のタブの先端部５１０が凹溝７００に接している間は、開口途中でもタブ５００の回転抑制の効果を有する。そのため、開口途中でもタブ５００の回転が抑制される。
【０１０３】
ここで、凹溝７００の側面とタブ５００の先端部５１０の側面が接触している場合、タブ５００によりパネル４００が開口する恐れはない。これは、接触が互いの側面同士であるため、パネル４００に対し主に水平方向の力がかかるようになり、パネル４００に対し開口を促す垂直方向の力がかかりにくいことと、仮に、側面同士が接触した場合でも、接触による側面からの反力は、前述したように、主としてパネル４００に対し水平方向の力であり、互いの接触から逃れるように働く力となり、タブ５００がリベット９００を中心として回転することで解決するためである。
【０１０４】
なお、凹溝７００の側面とタブ５００の先端部５１０の側面とが常に接触した状態となるように、凹溝７００およびタブ５００を配置してもよいし、凹溝７００の側面とタブ５００の先端部５１０の側面との間に隙間が形成された状態で、凹溝７００およびタブ５００を配置するようにしてもよい。このように隙間が形成されていても、タブ５００が回転すると、タブ５００が凹溝７００の側面に突き当たり、タブ５００の回転が規制される。また、隙間が形成されていても、隙間が小さい場合、凹溝７００は、位置決め部としてしての機能を十分に果たすようになる。
【０１０５】
なお、上記では説明を省略したが、本実施形態では、図３−１、図５−１に示すように、直線部４３０Ｂの右端部４９２と、Ｕ字状部４３０Ａの他端部４３２との間に位置する領域に（舌片部の根元となる部分に）、溝６００（スコア線のような破断を促す溝ではなく曲げを容易にする溝（スコア線より浅く且つ幅広の溝など））が設けられている。
この溝６００は、右端部４９２が設けられている側から他端部４３２が設けられている側に向かうように形成されている。これにより、本実施形態では、舌片部の曲がりがさらに生じやすくなっている。なお、溝６００は必ずしも必要ではなく溝６００は省略することもできる。また、溝６００は直線状に限らず曲率を付与して形成してもよい。
【０１０６】
なお、直線部４３０Ｂを設けずに、溝６００を延長し、一端部４３１と他端部４３２との間に溝６００を設ける態様も考えられる。ところで、この場合は、第１スコア線４３０に沿って、一端部４３１および他端部４３２まで進行してきたパネル４００の破断が、この一端部４３１および他端部４３２まで達した際に停止し、一端部４３１と他端部４３２との間では、パネル４００の破断が生じないようになる。このような場合、溝６００を全く設けない場合に比べれば、タブ５００の操作荷重が小さくなるが、直線部４３０Ｂを設ける場合に比べると、タブ５００の操作荷重が大きくなってしまう。
【０１０７】
また、本実施形態では、上記のとおり、領域ＲＡと突出部４２０との間を通過するように第２スコア線４５０が設けられている場合を例示したが、第２スコア線４５０の配置態様はこのような態様に限られない。例えば、図６（缶蓋３００の他の構成例を示した図）に示すように、領域ＲＡと突出部４２０との間を通過しない第２スコア線４５０を設けることもできる。さらに、第２スコア線４５０の形状も特に限定されず、第２スコア線４５０に曲率を付与するようにしてもよい。
【０１０８】
図７は、缶蓋３００の他の構成例を示した図である。
上記にて説明した実施形態では、Ｕ字状部４３０Ａの一端部４３１に直線部４３０Ｂを接続し、且つ、この一端部４３１から、Ｕ字状部４３０Ａの他端部４３２に向かうように直線部４３０Ｂを形成した場合を一例に説明した。ところで、図７に示すように、他端部４３２に直線部４３０Ｂを接続し、他端部４３２から一端部４３１側に向かうように、直線部４３０Ｂを形成するようにしてもよい。この場合も、舌片部を曲げる際の曲げ領域を小さくでき、タブ５００の操作荷重が小さくなる。
【０１０９】
なお、本図で示す態様よりも図３−１等で示した上記態様の方が、パネル４００の表面から離れる方向への、タブ５００の先端部５１０の移動が抑制されるようになり、本図で示す態様よりも図３−１等で示した上記態様の方が、符号４Ｄで示した上記領域（図５−１参照）における、パネル４００の破断がより生じやすくなる。
【０１１０】
ここで、本実施形態では、上記のとおり、開口が形成される際、引っ張り部位４Ｂ（図５−１参照）がパネル４００の表面から浮くようになるが、図７に示す態様では、この際、例えば、符号７Ａで示す領域にてパネル４００の破断が生じる可能性があり、この場合、引っ張り部位４Ｂのパネル４００からの浮き量が極めて大きくなる。そしてこの場合、パネル４００からタブ５００の先端部５１０が離れてしまい、符号４Ｄで示した上記領域（図５−１参照）における、パネル４００の破断が難しくなるおそれがある。
【０１１１】
一方で、図３−１等にて示した上記態様では、引っ張り部位４Ｂの浮き量が小さくなり、図７にて示した態様に比べ、タブ５００の先端部５１０がパネル４００のより近い箇所に位置するようになる。そして、この場合は、図７にて示した態様に比べ、符号４Ｄで示した上記領域における、パネル４００の破断が生じやすくなる。
【０１１２】
なお、上記では、第１スコア線４３０が、Ｕ字状部４３０Ａと直線部４３０Ｂとにより構成された場合を一例に説明したが、図８（缶蓋３００の他の構成例を示した図）に示すように、直線部４３０Ｂを省略し、Ｕ字状部４３０Ａのみで第１スコア線４３０を構成することもできる。但し、この構成例では、上記にて説明したとおり、一端部４３１および他端部４３２にて、進行してきたパネル４００の破断が停止してしまうため、直線部４３０Ｂを設ける場合に比べると、タブ５００の操作荷重が大きくなる。
【符号の説明】
【０１１３】
７０…凹溝、７１…一端、７２…他端、８１…第１領域、８２…第２領域、１００…飲料缶、２００…容器本体（缶胴）、３００…缶蓋、５００…タブ、４００…パネル、４０１…第１の面、４０２…第２の面、４３０…第１スコア線、４５０…第２スコア線、４５１…一端部、４５２…他端部
【図１】
2015101398.tif 000003
【図２】
2015101398.tif 000004
【図３−１】
2015101398.tif 000005
【図３−２】
2015101398.tif 000006
【図３−３】
2015101398.tif 000007
【図４】
2015101398.tif 000008
【図５−１】
2015101398.tif 000009
【図５−２】
2015101398.tif 000010
【図６】
2015101398.tif 000011
【図７】
2015101398.tif 000012
【図８】
2015101398.tif 000013